(57)【要約】【課題】騒音を低減することが可能な印刷装置を提供する。【解決手段】印刷装置は、開閉扉２１を有する筐体６と、開閉扉２１の筐体６内側に設置され、筐体６の外部と連通するダクト８と、筐体６内に配置され、開閉扉２１が閉じられた状態におけるダクト８を介して筐体６内と外部とを連通する内装カバー開口部３１を有する内装カバー９と、開閉扉２１が閉じられた状態において、内装カバー開口部３１およびダクト８を介して、筐体６内への吸気を行うファン１０と、ファン１０の駆動時は内装カバー開口部３１を開き、開閉扉２１が開かれている間は内装カバー開口部３１を閉じるシャッタ３６とを備える。【選択図】図４
2019031063.tif 000002
【特許請求の範囲】
【請求項１】
開閉扉を有する筐体と、
前記開閉扉の前記筐体内側に設置され、前記筐体の外部と連通するダクトと、
前記筐体内に配置され、前記開閉扉が閉じられた状態における前記ダクトを介して前記筐体内と外部とを連通する開口部を有するカバー部材と、
前記開閉扉が閉じられた状態において、前記開口部および前記ダクトを介して、前記筐体内への吸気および前記筐体からの排気の少なくともいずれかを行うファンと、
前記ファンの駆動時は前記開口部を開き、前記開閉扉が開かれている間は前記開口部を閉じるシャッタと
を備えることを特徴とする印刷装置。
【請求項２】
前記開閉扉が開かれるのに連動して前記シャッタが閉じられることを特徴とする請求項１に記載の印刷装置。
【請求項３】
前記シャッタは、前記ファンの駆動により発生する風により開くものであることを特徴とする請求項１に記載の印刷装置。
【発明の詳細な説明】
【技術分野】
【０００１】
本発明は、印刷媒体に印刷を行う印刷装置に関する。
【背景技術】
【０００２】
装置内を冷却するためのファンを有する印刷装置が知られている。
【０００３】
例えば、特許文献１には、通気孔が形成されたカバー部材（外装カバー）と、このカバー部材の通気孔の奥側に配置されたファンと、通気孔が形成された開閉可能な開閉部（フロントカバー）とを備える印刷装置が開示されている。
【０００４】
この印刷装置の開閉部は、内カバーと外カバーとから構成され、内カバーと外カバーとの間の空間が通気部を形成している。また、内カバーと外カバーとの結合部には、通気部と装置外部とを連通する開口部が形成されている。開閉部の通気孔は、内カバーに形成されており、開閉部が閉じられたときに、カバー部材の通気孔と対向する位置に配置されている。
【０００５】
この印刷装置において、開閉部が閉じられた状態でファンが駆動されると、開閉部の開口部を介して通気部に外気が吸気される。吸気された外気は、通気部をダクトとして、開閉部の通気孔およびカバー部材の通気孔を介して、装置内に流入する。これにより、装置内が冷却される。
【先行技術文献】
【特許文献】
【０００６】
【特許文献１】特開２０１１−２２３１０号公報
【発明の概要】
【発明が解決しようとする課題】
【０００７】
上述した特許文献１の印刷装置では、通気孔に異物やユーザの指が入ることを防止するために、カバー部材の通気孔の開口寸法を制限する必要がある。具体的には、細長い孔からなる通気孔の幅（短手方向の長さ）を、規定幅以下に抑える必要がある。
【０００８】
このため、カバー部材の通気孔を通過する気流に対する抵抗が大きくなり、風切音が発生して騒音となる。また、カバー部材の通気孔の開口寸法を制限すると、装置内の冷却に必要な空気の流量を確保するためにファンの回転数を大きくする必要があり、騒音であるファンの動作音の増大を招く。
【０００９】
本発明は上記に鑑みてなされたもので、騒音を低減することが可能な印刷装置を提供することを目的とする。
【課題を解決するための手段】
【００１０】
上記目的を達成するため、本発明の印刷装置は、開閉扉を有する筐体と、前記開閉扉の前記筐体内側に設置され、前記筐体の外部と連通するダクトと、前記筐体内に配置され、前記開閉扉が閉じられた状態における前記ダクトを介して前記筐体内と外部とを連通する開口部を有するカバー部材と、前記開閉扉が閉じられた状態において、前記開口部および前記ダクトを介して、前記筐体内への吸気および前記筐体からの排気の少なくともいずれかを行うファンと、前記ファンの駆動時は前記開口部を開き、前記開閉扉が開かれている間は前記開口部を閉じるシャッタとを備えることを特徴とする。
【発明の効果】
【００１１】
本発明の印刷装置によれば、騒音を低減することが可能になる。
【図面の簡単な説明】
【００１２】
【図１】第１実施形態に係る印刷装置の構成を示すブロック図である。
【図２】図１に示す印刷装置の開閉扉を閉じた状態の外観斜視図である。
【図３】図１に示す印刷装置の開閉扉を開いた状態の外観斜視図である。
【図４】第１実施形態における開閉扉を閉じた状態でのシャッタ周辺の拡大断面図である。
【図５】第１実施形態における印刷装置のダクトの要部拡大平面図である。
【図６】第１実施形態におけるシャッタが開状態である場合の内装カバー開口部周辺の拡大平面図である。
【図７】第１実施形態におけるシャッタが閉状態である場合の内装カバー開口部周辺の拡大平面図である。
【図８】第１実施形態におけるシャッタの平面図である。
【図９】図７のＡ−Ａ線に沿った断面図である。
【図１０】第２実施形態におけるシャッタが開状態である場合の内装カバー開口部周辺の拡大平面図である。
【図１１】第２実施形態におけるシャッタが閉状態である場合の内装カバー開口部周辺の拡大平面図である。
【図１２】第２実施形態におけるシャッタが開状態である場合のシャッタ機構の概略構成図である。
【図１３】第２実施形態におけるシャッタの平面図である。
【図１４】第２実施形態におけるシャッタが閉状態である場合のシャッタ機構の概略構成図である。
【図１５】第２実施形態における印刷装置内の冷却時の空気の流れの説明図である。
【図１６】第３実施形態におけるシャッタが閉状態である場合の前側から見た内装カバー開口部周辺の拡大平面図である。
【図１７】第３実施形態におけるシャッタが閉状態である場合の後側から見た内装カバー開口部周辺の拡大平面図である。
【図１８】第３実施形態におけるシャッタが開状態である場合の後側から見た内装カバー開口部周辺の拡大平面図である。
【図１９】図１６のＢ−Ｂ線に沿った断面図である。
【図２０】第３実施形態における印刷装置内の冷却時の空気の流れの説明図である。
【図２１】第４実施形態における内装カバー開口部周辺の拡大平面図である。
【図２２】図２１のＣ−Ｃ線に沿った断面図である。
【図２３】第４実施形態における印刷装置内の冷却時の空気の流れの説明図である。
【発明を実施するための形態】
【００１３】
以下、本発明の実施の形態について、図面を参照して説明する。各図面を通じて同一もしくは同等の部位や構成要素には、同一もしくは同等の符号を付している。
【００１４】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１５】
［第１実施形態］
図１は、本発明の第１実施形態に係る印刷装置の構成を示すブロック図である。図２は、図１に示す印刷装置の開閉扉を閉じた状態の外観斜視図である。図３は、図１に示す印刷装置の開閉扉を開いた状態の外観斜視図である。図４は、第１実施形態における印刷装置の開閉扉を閉じた状態でのシャッタ周辺の拡大断面図である。図５は、第１実施形態における印刷装置のダクトの要部拡大平面図である。図６は、第１実施形態における印刷装置のシャッタが開状態である場合の内装カバー開口部周辺の拡大平面図である。図７は、シャッタが閉状態である場合の内装カバー開口部周辺の拡大平面図である。図８は、第１実施形態におけるシャッタの平面図である。図９は、図７のＡ−Ａ線に沿った断面図である。なお、以下の説明において、図２、図３の矢印で示す上下左右前後を上下左右前後方向とする。
【００１６】
図１〜図４に示すように、第１実施形態に係る印刷装置１は、給紙部２と、搬送部３と、印刷部４と、排紙部５と、筐体６と、開閉検出部７と、ダクト８と、内装カバー（請求項のカバー部材に相当）９と、ファン１０と、シャッタ機構１１と、制御部１２とを備える。
【００１７】
給紙部２は、印刷媒体である用紙を搬送部３に給紙する。給紙部２は、それぞれ用紙が積載される給紙台１６Ａ〜１６Ｃと、給紙台１６Ａ〜１６Ｃから用紙を取り出して搬送部３へ搬送する複数の給紙ローラ（図示せず）とを備える。
【００１８】
搬送部３は、給紙部２により給紙された用紙を搬送する。搬送部３は、用紙をベルト上に吸着保持して搬送するベルトプラテン１８と、両面印刷のために用紙を循環搬送する複数の搬送ローラ（図示せず）とを備える。
【００１９】
印刷部４は、インクジェットヘッド（図示せず）を備え、搬送部３のベルトプラテン１８により搬送される用紙にインクジェットヘッドからインクを吐出して画像を印刷する。
【００２０】
排紙部５は、印刷部４により印刷された用紙を排紙する。排紙部５は、印刷済みの用紙が積載される排紙台１９と、ベルトプラテン１８から排紙台１９へ用紙を搬送して排紙する複数の排紙ローラ（図示せず）とを備える。
【００２１】
筐体６は、印刷装置１の各部を収納または保持する。筐体６は、筐体６の前面を開閉する開閉扉２１を有する。
【００２２】
開閉扉２１の下端部には、ユーザが給紙台１６Ｂを引き出すときに手を挿入するための凹部２２が形成されている。また、図４に示すように、凹部２２には、後述するダクト８の下端開口部２６に連通する扉側開口部２３が形成されている。
【００２３】
開閉検出部７は、筐体６の開閉扉２１の開閉状態を検出する。開閉検出部７は、例えば、インターロックスイッチからなる。
【００２４】
ダクト８は、ファン１０による吸気の際の空気の流路を形成する。ダクト８は、筐体６の内側において、開閉扉２１に設置されている。
【００２５】
ダクト８は、中空状の箱体により形成されている。図４に示すように、ダクト８の下端部には、下端開口部２６が形成されている。下端開口部２６は、開閉扉２１の扉側開口部２３に連通されている。これにより、ダクト８の内部空間は、下端開口部２６および扉側開口部２３を介して、筐体６の外部に連通されている。
【００２６】
図４、図５に示すように、ダクト８の正面部には、複数の正面開口部２７が形成されている。正面開口部２７は、開閉扉２１が閉じられた状態において、後述する内装カバー開口部３１に対向する位置に形成されている。正面開口部２７は、ファン１０の駆動時にダクト８から内装カバー開口部３１へ向かって流れる空気の通気孔である。なお、図５において矢印で示す左右方向は、開閉扉２１を開いた状態で前側からダクト８を見た場合の左右方向を示している。
【００２７】
また、ダクト８の正面部には、シール部材２８が設けられている。シール部材２８は、すべての正面開口部２７の周囲を囲むように形成されている。シール部材２８は、開閉扉２１が閉じられた状態において、内装カバー９に当接し、正面開口部２７および内装カバー開口部３１の周囲をシールする部材である。
【００２８】
内装カバー９は、筐体６内に配置され、印刷装置１の内部の一部を覆う板状の部材である。図３、図４、図６、図７に示すように、内装カバー９には、内装カバー開口部（請求項の開口部に相当）３１が形成されている。本実施の形態では、５つの内装カバー開口部３１が上下に並列して形成されている。
【００２９】
内装カバー開口部３１は、開閉扉２１が閉じられた状態において、ダクト８の正面開口部２７と対向し、正面開口部２７、ダクト８の内部空間、下端開口部２６、および扉側開口部２３を介して、印刷装置１の外部に通じた状態となる。すなわち、内装カバー開口部３１は、開閉扉２１が閉じられた状態におけるダクト８を介して、筐体６内と印刷装置１の外部とを連通するものである。
【００３０】
内装カバー開口部３１は、平面視にて左右方向に細長い形状に形成されている。内装カバー開口部３１の幅（短手方向（上下方向）の長さ）は、ファン１０の駆動時において、内装カバー開口部３１による風切音を抑えるとともに、ファン１０の回転数を抑えつつ印刷装置１内の冷却のための空気の流量を確保できる所定幅に設定されている。例えば、内装カバー開口部３１の幅は、５ｍｍ程度に設定されている。
【００３１】
また、内装カバー９には、押し棒用開口部３２が形成されている。押し棒用開口部３２は、後述する押し棒３７が挿通される貫通孔である。押し棒用開口部３２は、最も下側の内装カバー開口部３１の下方に形成されている。
【００３２】
また、内装カバー９の裏面（後面）には、２つのガイド部材３３と、２つのストッパ３４とが設けられている。
【００３３】
ガイド部材３３は、後述するシャッタ３６が内装カバー９の裏面に沿って上下動するようにガイドするものである。２つのガイド部材３３は、内装カバー開口部３１を挟んで左右方向に互いに離間して配置されている。
【００３４】
ストッパ３４は、閉状態のシャッタ３６を支持するものである。ストッパ３４は、最も下側の内装カバー開口部３１の下方の所定位置に配置されている。
【００３５】
ファン１０は、筐体６内（印刷装置１内）の冷却のための吸気を行う。具体的には、ファン１０は、開閉扉２１が閉じられた状態において、筐体６内の冷却を行う際に、内装カバー開口部３１およびダクト８を介して、筐体６内への吸気を行う。ファン１０は、内装カバー９の裏側（後側）において、内装カバー開口部３１の近傍に配置されている。
【００３６】
シャッタ機構１１は、内装カバー開口部３１を開閉するための機構である。シャッタ機構１１は、シャッタ３６と、押し棒３７とを備える。
【００３７】
シャッタ３６は、ファン１０の駆動時は内装カバー開口部３１を開き、開閉扉２１が開かれている間は内装カバー開口部３１を閉じるために、内装カバー開口部３１を開閉する。図８、図９に示すように、シャッタ３６は、シャッタ開口部４１を有する板状の部材により形成されている。シャッタ開口部４１は、内装カバー開口部３１を開くための開口部である。シャッタ開口部４１は、平面視において内装カバー開口部３１と同形状に形成されている。本実施の形態では、内装カバー開口部３１と同数の５つのシャッタ開口部４１が形成されている。５つのシャッタ開口部４１は、内装カバー開口部３１と同間隔で、上下に並列して形成されている。隣接するシャッタ開口部４１間の間隔は、内装カバー開口部３１の幅以上に設定されている。
【００３８】
また、シャッタ３６の下端部には、被操作部４２が形成されている。被操作部４２は、押し棒３７によるシャッタ３６の開閉操作を受ける部分である。被操作部４２は、傾斜部４３と、被支持部４４とを有する。
【００３９】
傾斜部４３は、開閉扉２１が閉じられる際に押し棒３７によって押される部分である。傾斜部４３は、後側が下方に下がるように傾斜している。
【００４０】
被支持部４４は、開状態のシャッタ３６が押し棒３７によって支持される部分である。被支持部４４は、傾斜部４３に連接して形成された水平部分である。
【００４１】
ここで、シャッタ３６の開状態は、図４、図６のように、各シャッタ開口部４１がそれぞれに対応する内装カバー開口部３１に重なり、内装カバー開口部３１が開いた状態である。また、シャッタ３６の閉状態は、図７、図９のように、シャッタ開口部４１と内装カバー開口部３１とが互いにずれた位置にあり、シャッタ３６が内装カバー開口部３１を塞いでいる状態である。
【００４２】
押し棒３７は、シャッタ３６を開くために、シャッタ３６を押し上げる部材である。図３〜図５に示すように、押し棒３７は、ダクト８の正面部に立設された棒状の部材である。押し棒３７は、開閉扉２１が閉じられる際に、シャッタ３６の傾斜部４３を押すことで、シャッタ３６を押し上げる。また、押し棒３７は、シャッタ３６の開状態において、シャッタ３６の被支持部４４を支持することで、シャッタ３６の開状態を維持させる。
【００４３】
制御部１２は、印刷装置１全体の動作を制御する。制御部１２は、ＣＰＵ、ＲＡＭ、ＲＯＭ、ハードディスク等を備えて構成される。
【００４４】
次に、印刷装置１におけるシャッタ３６の開閉動作について説明する。
【００４５】
開閉扉２１が閉じられた状態では、図４、図６に示すように、シャッタ３６が開状態である。すなわち、押し棒３７が押し棒用開口部３２に挿通され、シャッタ３６の被支持部４４を支持している。
【００４６】
開閉扉２１が開かれる際、開閉扉２１の回動に伴って、押し棒３７が押し棒用開口部３２から抜ける。この際、前方向に徐々に移動する押し棒３７の先端を傾斜部４３が滑りつつ、シャッタ３６が下降する。そして、押し棒３７が押し棒用開口部３２から抜けた状態では、シャッタ３６は、ストッパ３４に支持され、閉状態となる。
【００４７】
開閉扉２１が開かれた状態から閉じられる際は、開閉扉２１の回動に伴って、押し棒３７が押し棒用開口部３２に差し込まれる。この際、後方向に徐々に移動する押し棒３７の先端がシャッタ３６の傾斜部４３を押すことで、シャッタ３６が上昇する。そして、開閉扉２１が閉じられた状態では、シャッタ３６の被支持部４４が押し棒３７に支持され、シャッタ３６が開状態となる。
【００４８】
このようにして、印刷装置１では、開閉扉２１の開閉に連動して、シャッタ３６の開閉動作が行われる。
【００４９】
次に、印刷装置１内を冷却する動作について説明する。
【００５０】
印刷装置１内の冷却は、開閉扉２１が閉じられた状態において行われるものであり、例えば、印刷装置１における印刷動作中に行われる。
【００５１】
開閉扉２１が閉じられた状態では、図４のように、ダクト８の正面開口部２７と内装カバー開口部３１が近接して対向し、シール部材２８が正面開口部２７および内装カバー開口部３１の周囲をシールしている状態となっている。そして、シャッタ３６は開状態である。
【００５２】
印刷装置１内の冷却を行う際、制御部１２は、筐体６内への吸気を行うようにファン１０を駆動させる。
【００５３】
この際、シャッタ３６は開状態であるため、ファン１０の駆動により、図４に矢印で示すような経路で外気が筐体６内に流入する。
【００５４】
すなわち、ファン１０の駆動により、ダクト８の下端開口部２６からダクト８内へ外気が吸気される。ダクト８内へ吸気された外気は、ダクト８内を通過した後、正面開口部２７、内装カバー開口部３１、およびシャッタ開口部４１を介して、内装カバー９の裏側まで流入する。このようにして、筐体６内に外気が取り込まれることで、印刷装置１内が冷却される。
【００５５】
以上説明したように、印刷装置１は、ファン１０の駆動時は内装カバー開口部３１を開き、開閉扉２１が開かれている間は内装カバー開口部３１を閉じるシャッタ３６を備える。これにより、開閉扉２１が開かれているときに内装カバー開口部３１に異物やユーザの指が入ることを防止するための内装カバー開口部３１の開口寸法の制限を回避できる。このため、内装カバー開口部３１の幅を、ファン１０の駆動時における内装カバー開口部３１による風切音を抑えるとともに、ファン１０の回転数を抑えつつ印刷装置１内の冷却のための空気の流量を確保できる大きさとすることが可能となる。これにより、印刷装置１によれば、内装カバー開口部３１による風切音およびファン１０の動作音を低減することが可能であるので、騒音を低減することが可能である。
【００５６】
また、印刷装置１では、開閉扉２１が開かれるのに連動してシャッタ３６が閉じられるので、開閉扉２１が開かれているときにシャッタ３６が開状態となることを高精度で防止できる。これにより、内装カバー開口部３１に異物やユーザの指が入ることを低減できる。
【００５７】
［第２実施形態］
次に、上述した第１実施形態の内装カバーおよびシャッタ機構を変更した第２実施形態について説明する。
【００５８】
図１０は、第２実施形態におけるシャッタが開状態である場合の内装カバー開口部周辺の拡大平面図である。図１１は、第２実施形態におけるシャッタが閉状態である場合の内装カバー開口部周辺の拡大平面図である。図１２は、第２実施形態におけるシャッタが開状態である場合のシャッタ機構の概略構成図である。図１３は、第２実施形態におけるシャッタの平面図である。図１４は、第２実施形態におけるシャッタが閉状態である場合のシャッタ機構の概略構成図である。ここで、図１２は開閉扉２１が閉じられた状態における図であり、図１４は開閉扉２１が開かれた状態における図である。
【００５９】
図１０、図１１に示すように、第２実施形態における内装カバー９Ａは、上述した第１実施形態における内装カバー９の内装カバー開口部３１、押し棒用開口部３２をそれぞれ内装カバー開口部５１、押し棒用開口部５２に置き換えたものである。また、第１実施形態におけるガイド部材３３およびストッパ３４は省略され、第２実施形態における内装カバー９Ａの裏面（後面）には、ストッパ５３が設けられている。
【００６０】
内装カバー開口部５１は、平面視台形状に形成されている。内装カバー９Ａには、複数の内装カバー開口部５１が、後述するシャッタ保持軸５７を中心として円環状に配置されている。本実施の形態では、８つの内装カバー開口部５１が円環状に配置されている。
【００６１】
内装カバー開口部５１は、ファン１０の駆動時において、内装カバー開口部５１による風切音を抑えるとともに、ファン１０の回転数を抑えつつ印刷装置１内の冷却のための空気の流量を確保できる寸法で形成されている。
【００６２】
押し棒用開口部５２は、後述する押し棒５８が挿通される貫通孔である。押し棒用開口部５２は、内装カバー開口部５１が配置された領域の側方（右方）に形成されている。
【００６３】
ストッパ５３は、シャッタ５６が閉状態であるときに、後述する被支持部６４を支持する部材である。ストッパ５３は、押し棒用開口部５２より下方の所定位置に配置されている。
【００６４】
図１２に示すように、第２実施形態におけるシャッタ機構１１Ａは、シャッタ５６と、シャッタ保持軸５７と、押し棒５８とを備える。
【００６５】
シャッタ５６は、内装カバー開口部５１を開閉する。図１３、図１４に示すように、シャッタ５６は、シャッタ開口部６１を有する板状の部材により形成されている。
【００６６】
シャッタ開口部６１は、内装カバー開口部５１を開くための開口部である。シャッタ開口部６１は、平面視において内装カバー開口部５１と同形状に形成されている。本実施の形態では、内装カバー開口部５１と同数の８つのシャッタ開口部６１が形成されている。８つのシャッタ開口部６１は、内装カバー開口部５１と同じ配置で、円環状に配置されている。隣接するシャッタ開口部６１間の部分で内装カバー開口部５１を塞ぐことができるように、各シャッタ開口部６１が配置されている。
【００６７】
シャッタ５６の一方の側部（右側部）には、被操作部６２が形成されている。被操作部６２は、押し棒５８によるシャッタ５６の開閉操作を受ける部分である。被操作部６２は、傾斜部６３と、被支持部６４とを有する。
【００６８】
傾斜部６３は、開閉扉２１が閉じられる際に押し棒５８によって押される部分である。傾斜部６３は、後側が下方に下がるように傾斜している。
【００６９】
被支持部６４は、開状態のシャッタ５６が押し棒５８によって支持される部分である。また、被支持部６４は、閉状態のシャッタ５６がストッパ５３によって支持される部分である。被支持部６４は、傾斜部６３に連接して形成されており、シャッタ５６が閉状態であるときに水平となるように形成されている。
【００７０】
ここで、シャッタ５６の開状態は、図１０のように、各シャッタ開口部６１がそれぞれに対応する内装カバー開口部５１に重なり、内装カバー開口部５１が開いた状態である。また、シャッタ５６の閉状態は、図１１のように、シャッタ開口部６１と内装カバー開口部５１とが互いにずれた位置にあり、シャッタ５６が内装カバー開口部５１を塞いでいる状態である。
【００７１】
シャッタ保持軸５７は、シャッタ５６を内装カバー９Ａの裏面（後面）上に回動可能に保持する。
【００７２】
押し棒５８は、シャッタ５６を開くために、シャッタ５６を回動させる部材である。図１２に示すように、押し棒５８は、ダクト８の正面部に立設された棒状の部材である。押し棒５８は、開閉扉２１が閉じられる際に、シャッタ５６の傾斜部６３を押すことで、シャッタ５６を回動させる。また、押し棒５８は、シャッタ５６の開状態において、図１２に示すように、シャッタ５６の被支持部６４を支持することで、シャッタ５６の開状態を維持させる。
【００７３】
次に、第２実施形態におけるシャッタ５６の開閉動作について説明する。
【００７４】
開閉扉２１が閉じられた状態では、図１０に示すように、シャッタ５６が開状態である。すなわち、図１２に示すように、押し棒５８が押し棒用開口部５２に挿通され、シャッタ５６の被支持部６４を支持している。
【００７５】
開閉扉２１が開かれる際、開閉扉２１の回動に伴って、押し棒５８が押し棒用開口部５２から抜ける。この際、前方向に徐々に移動する押し棒５８の先端を傾斜部６３が滑りつつ、シャッタ５６が前側から見て時計回りに回動する。そして、押し棒５８が押し棒用開口部５２から抜けた状態では、シャッタ５６の被支持部６４がストッパ５３に支持され、シャッタ５６が閉状態となる。
【００７６】
開閉扉２１が開かれた状態から閉じられる際は、開閉扉２１の回動に伴って、押し棒５８が押し棒用開口部５２に差し込まれる。この際、後方向に徐々に移動する押し棒５８の先端がシャッタ５６の傾斜部６３を押すことで、シャッタ５６が前側から見て反時計回りに回動する。そして、開閉扉２１が閉じられた状態では、シャッタ５６の被支持部６４が押し棒５８に支持され、シャッタ５６が開状態となる。
【００７７】
このようにして、第２実施形態においても、開閉扉２１の開閉に連動して、シャッタ５６の開閉動作が行われる。
【００７８】
第２実施形態における印刷装置１内の冷却時には、ファン１０の駆動により、図１５に矢印で示すような経路で外気が筐体６内に流入する。
【００７９】
すなわち、ファン１０の駆動により、第１実施形態と同様に、ダクト８の下端開口部２６からダクト８内へ外気が吸気される。ダクト８内へ吸気された外気は、ダクト８内を通過した後、正面開口部２７、内装カバー開口部５１、およびシャッタ開口部６１を介して、内装カバー９Ａの裏側まで流入する。このようにして、筐体６内に外気が取り込まれることで、印刷装置１内が冷却される。
【００８０】
第２実施形態においても、印刷装置１がシャッタ５６を備えることで、第１実施形態と同様に、内装カバー開口部５１の開口寸法の制限を回避できる。このため、第２実施形態においても、第１実施形態と同様に、内装カバー開口部５１による風切音およびファン１０の動作音を低減することで、騒音を低減することが可能である。
【００８１】
また、第２実施形態においても、第１実施形態と同様に、開閉扉２１が開かれるのに連動してシャッタ５６が閉じられるので、開閉扉２１が開かれているときにシャッタ５６が開状態となることを高精度で防止できる。これにより、内装カバー開口部５１に異物やユーザの指が入ることを低減できる。
【００８２】
［第３実施形態］
次に、上述した第１実施形態の内装カバーおよびシャッタ機構を変更した第３実施形態について説明する。
【００８３】
図１６は、第３実施形態におけるシャッタが閉状態である場合の前側（表側）から見た内装カバー開口部周辺の拡大平面図である。図１７は、第３実施形態におけるシャッタが閉状態である場合の後側（裏側）から見た内装カバー開口部周辺の拡大平面図である。図１８は、第３実施形態におけるシャッタが開状態である場合の後側（裏側）から見た内装カバー開口部周辺の拡大平面図である。図１９は、図１６のＢ−Ｂ線に沿った断面図である。
【００８４】
図１６〜図１８に示すように、第３実施形態における内装カバー９Ｂは、上述した第１実施形態における内装カバー９の内装カバー開口部３１を内装カバー開口部７１に置き換え、押し棒用開口部３２、ガイド部材３３、およびストッパ３４を省略したものである。
【００８５】
内装カバー開口部７１は、平面視矩形状に形成されている。内装カバー開口部７１は、ファン１０の駆動時において、内装カバー開口部７１による風切音を抑えるとともに、ファン１０の回転数を抑えつつ印刷装置１内の冷却のための空気の流量を確保できる寸法で形成されている。
【００８６】
図１６〜図１８に示すように、第３実施形態におけるシャッタ機構１１Ｂは、シャッタ
７６〜７９と、シャッタ駆動部８０とを備える。
【００８７】
シャッタ７６〜７９は、内装カバー開口部７１を開閉する板状の部材である。シャッタ７６，７７が後述するシャッタ開閉軸８１を中心に回動し、シャッタ７８，７９が後述するシャッタ開閉軸８２を中心に回動することで、内装カバー開口部７１を開閉するようになっている。シャッタ７６〜７９は、内装カバー９Ｂの裏面側（後面側）に配置されている。
【００８８】
ここで、シャッタ７６〜７９の開状態は、図１８に示すように、シャッタ７６，７７が内装カバー開口部７１の上方に重なって退避し、シャッタ７８，７９が内装カバー開口部７１の下方に重なって退避して、内装カバー開口部７１が開いた状態である。また、シャッタ７６〜７９の閉状態は、図１６、図１７に示すように、シャッタ７６〜７９が内装カバー開口部７１上に展開して内装カバー開口部７１を塞いだ状態である。
【００８９】
シャッタ駆動部８０は、シャッタ７６〜７９の開閉駆動を行う。シャッタ駆動部８０は、シャッタ開閉軸８１，８２と、シャッタ開閉モータ８３，８４とを備える。
【００９０】
シャッタ開閉軸８１はシャッタ７６，７７を回動可能に支持し、シャッタ開閉軸８２はシャッタ７８，７９を回動可能に支持する。シャッタ開閉軸８１，８２は、内装カバー開口部７１の一方の対角線方向において内装カバー開口部７１を挟んで配置されている。
【００９１】
シャッタ開閉モータ８３は、シャッタ開閉軸８１を中心としてシャッタ７６，７７を回動させる。シャッタ開閉モータ８４は、シャッタ開閉軸８２を中心としてシャッタ７８，７９を回動させる。
【００９２】
第３実施形態において、開閉扉２１が閉じられた状態では、シャッタ７６〜７９は開状態になっている。印刷装置１内の冷却時には、ファン１０の駆動により、図２０に矢印で示すような経路で外気が筐体６内に流入する。
【００９３】
すなわち、ファン１０の駆動により、第１実施形態と同様に、ダクト８の下端開口部２６からダクト８内へ外気が吸気される。ダクト８内へ吸気された外気は、ダクト８内を通過した後、正面開口部２７および内装カバー開口部７１を介して、内装カバー９Ｂの裏側まで流入する。このようにして、筐体６内に外気が取り込まれることで、印刷装置１内が冷却される。
【００９４】
開閉扉２１が開かれると、制御部１２は、シャッタ７６〜７９を閉状態とする。具体的には、制御部１２は、開閉検出部７により開閉扉２１が開かれたことが検出されると、シャッタ駆動部８０を制御して、図１６、図１７のようにシャッタ７６〜７９を内装カバー開口部７１上に展開させる。制御部１２は、開閉扉２１が開かれている間は、シャッタ７６〜７９の閉状態を維持させる。開閉検出部７により開閉扉２１が閉じられたことが検出されると、制御部１２は、シャッタ駆動部８０を制御して、シャッタ７６〜７９を開状態とする。
【００９５】
第３実施形態においても、印刷装置１がシャッタ７６〜７９を備えることで、第１実施形態と同様に、内装カバー開口部７１の開口寸法の制限を回避できる。このため、第３実施形態においても、第１実施形態と同様に、内装カバー開口部７１による風切音およびファン１０の動作音を低減することで、騒音を低減することが可能である。
【００９６】
なお、開閉扉２１が閉じられている状態でも、印刷装置１内の冷却動作を行っていない期間は、シャッタ７６〜７９を閉状態としてもよい。
【００９７】
［第４実施形態］
次に、上述した第１実施形態の内装カバーおよびシャッタ機構を変更した第４実施形態について説明する。
【００９８】
図２１は、第４実施形態における内装カバー開口部周辺の拡大平面図である。図２２は、図２１のＣ−Ｃ線に沿った断面図である。
【００９９】
図２１、図２２に示すように、第４実施形態における内装カバー９Ｃは、上述した第１実施形態における内装カバー９の押し棒用開口部３２、ガイド部材３３、およびストッパ３４を省略したものである。
【０１００】
第４実施形態におけるシャッタ機構１１Ｃは、５つの内装カバー開口部３１のそれぞれに対応して設けられた５つのシャッタ８６と、５つのシャッタ８６に対応して設けられた５つのシャッタ支持軸８７とを備える。
【０１０１】
シャッタ８６は、内装カバー開口部３１を開閉する板状の部材である。シャッタ８６は、樹脂等の軽量の素材により形成されている。
【０１０２】
シャッタ支持軸８７は、内装カバー９Ｃの裏面側（後面側）において、シャッタ８６を前後方向に回動可能に吊り下げ支持する。シャッタ支持軸８７は、内装カバー開口部３１の上側近傍に配置されている。
【０１０３】
第４実施形態では、ファン１０が駆動されていない状態では、図２１、図２２のように、シャッタ８６が内装カバー９Ｃと平行に吊り下げられた状態で、内装カバー開口部３１を塞いでいる。すなわち、ファン１０が駆動されていないときは、シャッタ８６が閉状態である。
【０１０４】
印刷装置１内の冷却動作においてファン１０が駆動されると、ファン１０の駆動により発生する風により、図２３に示すように、シャッタ８６が後方向に引っ張られて回動する。これにより、シャッタ８６が開状態となる。
【０１０５】
これにより、第１実施形態と同様に、ダクト８の下端開口部２６からダクト８内へ外気が吸気される。ダクト８内へ吸気された外気は、ダクト８内を通過した後、正面開口部２７および内装カバー開口部３１を介して、内装カバー９Ｃの裏側まで流入する。このようにして、筐体６内に外気が取り込まれることで、印刷装置１内が冷却される。
【０１０６】
第４実施形態においても、印刷装置１がシャッタ８６を備えることで、第１実施形態と同様に、内装カバー開口部７１の開口寸法の制限を回避できる。このため、第４実施形態においても、第１実施形態と同様に、内装カバー開口部３１による風切音およびファン１０の動作音を低減することで、騒音を低減することが可能である。
【０１０７】
また、シャッタ８６は、ファン１０の駆動により発生する風により開くものであるので、簡素な構成で、ファン１０の駆動に連動したシャッタ８６の開閉を実現できる。
【０１０８】
［その他の実施形態］
上述のように、本発明は第１乃至第４実施形態によって記載したが、この開示の一部をなす論述および図面はこの発明を限定するものであると理解すべきではない。この開示から当業者には様々な代替実施形態、実施例および運用技術が明らかとなろう。
【０１０９】
上述した第１乃至第４実施形態では、冷却動作においてファン１０が筐体６内に吸気するものとして説明した。しかし、第１乃至第３実施形態において、ファン１０が筐体６から排気を行うものであってもよいし、吸気、排気を切り替え可能であってもよい。また、第４実施形態において、シャッタ８６およびシャッタ支持軸８７を内装カバー９Ｃの表面側（前面側）に配置し、ファン１０が筐体６から排気する構成としてもよい。この場合、ファン１０の駆動により発生する風によりシャッタ８６が押されることで、シャッタ８６が開く。
【０１１０】
上述した第１実施形態では、押し棒３７を有するシャッタ機構１１により、開閉扉２１の開閉に連動して、シャッタ３６の開閉を行う構成とした。しかし、押し棒３７およびシャッタ３６の被操作部４２を省略し、モータやソレノイド等のアクチュエータにより、シャッタ３６を開閉するようにしてもよい。この場合、開閉検出部７により検出される開閉扉２１の開閉状態に基づき、開閉扉２１が開かれた状態ではシャッタ３６が閉状態となるように制御すればよい。第２実施形態についても同様に、押し棒５８およびシャッタ５６の被操作部６２を省略し、モータやソレノイド等のアクチュエータにより、シャッタ５６を開閉するようにしてもよい。この場合、開閉検出部７により検出される開閉扉２１の開閉状態に基づき、開閉扉２１が開かれた状態ではシャッタ５６が閉状態となるように制御すればよい。
【０１１１】
このように、本発明はここでは記載していない様々な実施形態等を含むことは勿論である。したがって、本発明の技術的範囲は上記の説明から妥当な特許請求の範囲に係る発明特定事項によってのみ定められるものである。
【０１１２】
［付記］
本出願は、以下の発明を開示する。
【０１１３】
（付記１）
開閉扉を有する筐体と、
前記開閉扉の前記筐体内側に設置され、前記筐体の外部と連通するダクトと、
前記筐体内に配置され、前記開閉扉が閉じられた状態における前記ダクトを介して前記筐体内と外部とを連通する開口部を有するカバー部材と、
前記開閉扉が閉じられた状態において、前記開口部および前記ダクトを介して、前記筐体内への吸気および前記筐体からの排気の少なくともいずれかを行うファンと、
前記ファンの駆動時は前記開口部を開き、前記開閉扉が開かれている間は前記開口部を閉じるシャッタと
を備えることを特徴とする印刷装置。
【０１１４】
（付記２）
前記開閉扉が開かれるのに連動して前記シャッタが閉じられることを特徴とする付記１に記載の印刷装置。
【０１１５】
（付記３）
前記シャッタは、前記ファンの駆動により発生する風により開くものであることを特徴とする付記１に記載の印刷装置。
【符号の説明】
【０１１６】
１  印刷装置
２  給紙部
３  搬送部
４  印刷部
５  排紙部
６  筐体
７  開閉検出部
８  ダクト
９，９Ａ〜９Ｃ  内装カバー
１０  ファン
１１，１１Ａ〜１１Ｃ  シャッタ機構
１２  制御部
２１  開閉扉
３１，５１，７１  内装カバー開口部
３２，５２  押し棒用開口部
３６，５６，７６〜７９，８６  シャッタ
３７，５８  押し棒
４１，６１  シャッタ開口部
４２，６２  被操作部
４３，６３  傾斜部
４４，６４  被支持部
５７  シャッタ保持軸
８０  シャッタ駆動部
８１，８２  シャッタ開閉軸
８３，８４  シャッタ開閉モータ
８７  シャッタ支持軸
【図１】
2019031063.tif 000003
【図２】
2019031063.tif 000004
【図３】
2019031063.tif 000005
【図４】
2019031063.tif 000006
【図５】
2019031063.tif 000007
【図６】
2019031063.tif 000008
【図７】
2019031063.tif 000009
【図８】
2019031063.tif 000010
【図９】
2019031063.tif 000011
【図１０】
2019031063.tif 000012
【図１１】
2019031063.tif 000013
【図１２】
2019031063.tif 000014
【図１３】
2019031063.tif 000015
【図１４】
2019031063.tif 000016
【図１５】
2019031063.tif 000017
【図１６】
2019031063.tif 000018
【図１７】
2019031063.tif 000019
【図１８】
2019031063.tif 000020
【図１９】
2019031063.tif 000021
【図２０】
2019031063.tif 000022
【図２１】
2019031063.tif 000023
【図２２】
2019031063.tif 000024
【図２３】
2019031063.tif 000025